(57)【特許請求の範囲】
【請求項１】
上部に開口端を有するパッケージ本体と、
前記開口端の後側開口縁にヒンジを介して回動可能に連結され、前記開口端を開閉する蓋部材と、
パッケージ内に配置されて、一端側が前記パッケージ本体の内面に固定されると共に他端側が前記蓋部材の内面に固定される平板バネ部材と、
を備え、
前記平板バネ部材は、前記ヒンジと平行な屈曲線と、この屈曲線を境に一方側に位置付けられると共に前記パッケージ本体に固定される第１領域部と、他方側に位置付けられると共に前記蓋部材に固定される第２領域部と、を有し、かつ、前記平板バネ部材において前記第１領域部が前記パッケージ本体に固定される部位のうち内端に位置する第１固定部位と前記屈曲線とを結ぶ直線の寸法である第１寸法と、前記平板バネ部材において前記第２領域部が前記蓋部材に固定される部位のうち内端に位置する第２固定部位と前記屈曲線とを結ぶ直線の寸法である第２寸法との合計が、前記第１固定部位と前記ヒンジとを結ぶ直線の寸法である第３寸法と、前記第２固定部位と前記ヒンジとを結ぶ直線の寸法である第４寸法との合計よりも長く、
前記蓋部材の開閉動作に伴い、前記平板バネ部材が、前記屈曲線を境に前記パッケージ本体に固定される第１領域部と前記蓋部材に固定される第２領域部がしなりながら相対的に屈曲することにより、前記第１領域部に対して前記第２領域部が前方に傾倒した第１傾倒状態と、前記第１領域部に対して前記第２領域部が後方に傾倒した第２傾倒状態との間で前記屈曲線を境に姿勢を反転するように構成されることで、前記蓋部材が閉鎖位置にある状態と開放位置にある状態の双方において前記ヒンジを中心とする前記蓋部材の自由旋回が制限されることにより、閉鎖位置にある状態と開放位置にある状態の双方において前記蓋部材の姿勢が安定して維持される、
ボックス型パッケージ。
【請求項２】
前記平板バネ部材の前記屈曲線は、前記ヒンジよりも高い位置に形成されている、請求項１に記載のボックス型パッケージ。
【請求項３】
前記パッケージ本体に設けられ、前記蓋部材が閉じられる際に前記平板バネ部材の前記
第１領域部と当接し、該第１領域部が前方に移動することを規制する規制手段を更に備える、請求項１又は２に記載のボックス型パッケージ。
【請求項４】
被収容物がたばこ商品である、請求項１から３の何れか一項に記載のボックス型パッケージ。
【発明の詳細な説明】
【技術分野】
【０００１】
本発明は、ボックス型パッケージに関する。
【背景技術】
【０００２】
従来、たばこ商品等の被収容物を収容するパッケージ（包装）として、ソフトパック型パッケージ、ボックス型パッケージ等が公知である。ボックス型パッケージの１つの形態として、ヒンジを介してパッケージ本体に開閉自在に連結された上蓋（ヒンジリッド）を備えたヒンジ蓋付きボックス型パッケージが知られている。この種のボックス型パッケージは、通常、シガレット束を収容するパッケージ本体と、パッケージ本体の上部に形成される開口端を開閉するための蓋部材が、開口端の縁部に沿って設けられるヒンジを介して回動自在に連結されている。
【先行技術文献】
【特許文献】
【０００３】
【特許文献１】特許第４２０５５８７号公報
【特許文献２】特許第４４８５７２５号公報
【特許文献３】特表２００８−５２２９１０号公報
【特許文献４】特表２００５−５１０２２４号公報
【特許文献５】特許第３２５３６２４号公報
【発明の概要】
【発明が解決しようとする課題】
【０００４】
従来のヒンジ蓋付きボックス型パッケージは、ヒンジを介してパッケージ本体に回動（旋回）自在に蓋部材が連結されているため、蓋部材の開閉操作時に蓋部材が開閉する感覚が得られにくい上、蓋部材を開放した姿勢で保持することはできない。【０００５】
本発明は、上記した実情に鑑みてなされてものであって、その目的は、蓋部材の開閉操作時に蓋部材が開閉するときの感覚を良好に得ることができ、且つ、蓋部材を開放した際には使用者が把持しなくても蓋部材を開放姿勢のまま保持することが可能なボックス型パッケージを提供することにある。
【課題を解決するための手段】
【０００６】
本発明では、上記課題を解決するために以下の手段を採用する。本発明に係るボックス型パッケージは、上部に開口端を有するパッケージ本体と、前記開口端の後側開口縁にヒンジを介して回動可能に連結され、前記開口端を開閉する蓋部材と、パッケージ内に配置されて、一端側が前記パッケージ本体の内面に固定されると共に他端側が前記蓋部材の内面に固定される平板バネ部材と、を備え、前記平板バネ部材は前記ヒンジと平行な屈曲線を有し、前記蓋部材の開閉動作に伴い、前記屈曲線を境に前記パッケージ本体に固定される第１領域部と前記蓋部材に固定される第２領域部が相対的に屈曲することにより、前記第１領域部に対して前記第２領域部が前方に傾倒した第１傾倒状態と、前記第１領域部に対して前記第２領域部が後方に傾倒した第２傾倒状態との間で姿勢を反転させる。【０００７】
上記構成のボックス型パッケージによれば、パッケージ本体と蓋部材とを回動自在に連結するヒンジと平行な屈曲線を有する平板バネ部材がパッケージ内に配設される。そして、平板バネ部材は、一端側がパッケージ本体の内面に固定され、他端側が蓋部材の内面に固定されるため、蓋部材の開閉動作に伴い屈曲することで、第１領域部と第２領域部とが屈曲線を中心に相対的に旋回（回動）する。このようにして、平板バネ部材が、第１傾倒状態と第２傾倒状態との間で、その姿勢を反転させることにより、その反転に伴う反動が使用者の手に伝わり、反転時に発生する音が使用者の聴覚を刺激する。これにより、使用者がパッケージの蓋部材を開閉する際に、蓋部材の開閉感覚を好適に得る事ができる。【０００８】
本発明に係るボックス型パッケージのヒンジは、開口端の後側開口縁に設けられているため、平板バネ部材は、蓋部材が閉鎖状態のときに第１傾倒状態となり、開放状態のときに第２傾倒状態となる。平板バネ部材は、パッケージ本体側と蓋部材との相互に固定され、蓋部材の自由な回動動作を制限するため、蓋部材を開放した状態の姿勢で保持する事ができる。【０００９】
ここで、前記平板バネ部材の前記屈曲線は、前記ヒンジよりも高い位置に形成されていると好ましい。また、前記平板バネ部材において前記第１領域部が前記パッケージ本体に固定される第１固定部位と前記屈曲線とを結ぶ直線の寸法である第１寸法と、前記平板バネ部材において前記第２領域部が前記蓋部材に固定される第１固定部位と前記ヒンジとを結ぶ直線の寸法である第２寸法との合計が、前記第１固定部位と前記ヒンジとを結ぶ直線の寸法である第３寸法と、前記第２固定部位と前記ヒンジとを結ぶ直線の寸法である第４寸法との合計よりも長いことが好ましい。これによれば、蓋部材の開閉動作に伴い、平板バネ部材を、第１傾倒状態と第２傾倒状態との間で、より確実に反転させることができる。【００１０】
ボックス型パッケージは、前記パッケージ本体に設けられ、前記蓋部材が閉じられる際に前記平板バネ部材の前記第１領域部と当接し、該第１領域部が前方に移動することを規制する規制手段を更に備えていても良い。このような規制手段を備えることで、パッケージに収容する被収容物の種類、収容量などに左右されず、蓋部材を閉じる際に、平板バネ部材を第２傾倒状態から第１傾倒状態へと、より確実に反転させる事が可能となる。【００１１】
ボックス型パッケージに収容する被収容物は特に限定されるものではないが、棒状物品の集合体、例えばたばこ商品を被収容物として好適に例示できる。すなわち、本発明に係る被収容物はたばこ商品であっても良い。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００１２】
なお、本発明における課題を解決するための手段は、可能な限り組み合わせて採用することができる。
【発明の効果】
【００１３】
本発明によれば、ボックス型パッケージにおいて、蓋部材の開閉操作時に蓋部材が開閉するときの感覚を良好に得ることができ、且つ、蓋部材を開放した際には使用者が把持しなくても蓋部材を開放姿勢のまま保持することが可能である。
【図面の簡単な説明】
【００１４】
【図１】実施例１に係るパッケージの斜視図である。
【図２】蓋部材が閉鎖されたパッケージを背面側から眺めた斜視図である。
【図３】平板バネ部材のブランク材を示す。
【図４Ａ】蓋部材が閉じた状態のパッケージの透視斜視図である。
【図４Ｂ】蓋部材が開放された状態のパッケージの透視斜視図である。
【図５Ａ】蓋部材が閉じた状態のパッケージの縦断面図である。
【図５Ｂ】蓋部材が開放された状態のパッケージの縦断面図である。
【図６】実施例２に係るパッケージを構成するブランク材の一部を示す図である。
【図７】実施例２に係るパッケージの断面図である。
【図８】実施例３に係るパッケージの斜視図である。
【図９】実施例３に係るパッケージの斜視図である。
【発明を実施するための形態】
【００１５】
ここで、本発明に係るボックス型パッケージの実施形態について、図面に基づいて説明する。本発明が適用されるボックス型パッケージに収容する被収容物は特定のものに限定されないが、ここでは、フィルタシガレットや両切シガレット等のたばこ商品をパッケージに収容する場合を例に説明する。また、本実施形態に記載されている構成要素の寸法、材質、形状、その相対配置等は、特に特定的な記載がない限りは、発明の技術的範囲をそれらのみに限定する趣旨のものではない。
【００１６】
＜実施例１＞
図１は、実施例１に係るボックス型パッケージ（以下、単に“パッケージ”という）１の斜視図である。パッケージ１は、略直方体形状をなした所謂ヒンジ蓋付きボックス型パッケージである。パッケージ１は、パッケージ本体２と、パッケージ本体２にヒンジを介して回動自在に連結される蓋部材３とを含んで構成されている。この蓋部材３は、“リッド”と称呼される場合もある。
【００１７】
図１は、蓋部材３が開放されたパッケージ１を正面側から眺めた状態を示している。図２は、蓋部材３が閉じられたパッケージ１を背面側から眺めた斜視図である。以下、本明細書において、パッケージ１の正面側を“前方”と定義し、背面側を“後方”と定義する。本実施例におけるパッケージ本体２や蓋部材３は、例えば紙材からなっているが、これには限定されない。
【００１８】
パッケージ本体２は、アウタボックス２１と、インナフレーム２２とを備える。アウタボックス２１は、直方体形状の上端側が斜めに切り欠かれた形状を有する箱体である。図１および２を参照してパッケージ本体２を詳しく説明すると、パッケージ本体２は、前壁２３、後壁２４、側壁２５、底壁２６を有する。前壁２３および後壁２４は夫々矩形状を有し、後壁２４は前壁２３に比べて高さ寸法が長尺の矩形状をなし、前壁２３と対向配置されている。一組の側壁２５は、前壁２３および後壁２４の両側縁を相互に連結しており、矩形状の上端が斜辺となった台形状をなしている。すなわち、側壁２５の上端縁２５ａは、前壁２３の上端と後壁２４の上端とを結ぶように傾斜している。底壁２６は、矩形状をなしており、前壁２３および後壁２４の下端に連結されている。
【００１９】
また、アウタボックス２１の後壁２４の上端にはヒンジ２７が形成されている。このヒンジ２７は、両側壁２５の上端縁２５ａの後部間に亘って延伸し、後壁２４と蓋部材３とを相互に回動自在に連結している。以上のように構成されるアウタボックス２１は、その上端に、斜めの開口端２１ａを備えている。そして、この開口端２１ａの後側開口縁に、ヒンジ２７を介して蓋部材３が、回動（旋回）自在に連結されている。
【００２０】
インナフレーム２２は、略Ｕ字形状をなした前面フレーム２８と、この前面フレーム２８の両側縁に連結された側面フレーム２９とを有する。インナフレーム２２は、アウタボックス２１の上部の開口端２１ａから部分的に上方へ突出した状態で、アウタボックス２１の内面、すなわち、前壁２３および側壁２５の内面に接着されている。インナフレーム２２は、アウタボックス２１の開口端２１ａを補強するとともに、蓋部材３の開閉を案内するガイドとしても機能する。ここで、前面フレーム２８は、図１から明らかなように略矩形状の切欠き凹部２８ａを有する。切欠き凹部２８ａは、インナフレーム２２の前面を大きく開き、たばこ商品（被収容物）の取り出しを容易にしている。
【００２１】
蓋部材３は、ヒンジ２７に連結されている矩形状の後壁３１と、後壁３１に直交するように連結されている矩形型の天板３２と、天板３２に直交するように連結されている矩形状の前壁３３と、一組の側壁３４とを有している。一組の側壁３４は、それぞれ台形状をなしており、後壁３１、天板３２および前壁３３の各側縁を連結している。上記のように蓋部材３はヒンジ２７を中心に回動自在となっており、蓋部材３が閉じたときに、その側壁３４の斜辺、すなわち側壁３４の傾斜下端縁は、上述したアウタボックス２１における側壁２５の上端縁２５ａと互いに合致する。
【００２２】
パッケージ１は、パッケージ本体２の収容空間側に設けられた平板バネ部材４を備えている。図３は、平板バネ部材４のブランク材を示す。平板バネ部材４は、薄い平板部材であって、本実施例では、パッケージ本体２や蓋部材３と同様に、紙材、例えばカード紙やマニラボール紙からなっている。平板バネ部材４のブランク材は矩形状をなしており、第１領域部４１、第２領域部４２から構成されている。第１領域部４１および第２領域部４２における夫々の外端側には、本体側固着部４３および蓋側固着部４４が形成されている。
【００２３】
パッケージ１の製造（組立）過程において、第１領域部４１における本体側固着部４３には接着剤が塗布され、本体側固着部４３がパッケージ本体２に固定（固着）される。同様に、第２領域部４２における蓋側固着部４４には接着剤が塗布され、蓋側固着部４４が蓋部材３に固定（固着）される。また、第１領域部４１および第２領域部４２の境界には、平板バネ部材４のブランク材の短辺方向に平行な屈曲線（折れ線）４５が形成されている。このブランク材は、屈曲線４５を境に、山折りと谷折りのいずれに対しても屈曲することが可能に構成されている。
【００２４】
図４Ａおよび図４Ｂ、図５Ａおよび図５Ｂを参照して平板バネ部材４について説明する。図４Ａは、蓋部材３が閉じた状態のパッケージ１の透視斜視図である。図４Ｂは、蓋部材３が開放された状態のパッケージ１の透視斜視図である。図５Ａは、蓋部材３が閉じた状態のパッケージ１の縦断面図である。図５Ｂは、蓋部材３が開放された状態のパッケージ１の縦断面図である。図４Ａおよび図４Ｂにおいては、平板バネ部材４を実線で示し、他の部材を二点鎖線にて図示している。また、図５Ａおよび図５Ｂでは、インナフレーム２２の図示を割愛している。
【００２５】
平板バネ部材４は、その第１領域部４１の外端側に形成される本体側固着部４３が、パッケージ本体２におけるアウタボックス２１の内面、より詳しくは後壁２４の内面に接着されている。そして、平板バネ部材４は、第２領域部４１における外端側に形成される蓋側固着部４４が、蓋部材３における天板３２の内面に接着されている。以上より、平板バネ部材４は、パッケージ１の内部、すなわちパッケージ本体２の収容空間側に設けられ、その内面に固定される。
【００２６】
平板バネ部材４の屈曲線４５は、ヒンジ２７（ヒンジ線）と平行となるように形成されている。言い換えると、平板バネ部材４は、その屈曲線４５がヒンジ２７と平行になるように、パッケージ本体２および蓋部材３の夫々に接着されている。そして、平板バネ部材４は、第１領域部４１がパッケージ本体２側に設けられ、第２領域部４２が蓋部材３側に設けられる。また、平板バネ部材４は、パッケージ１の高さ方向（底壁２６から天板３２に向かう方向、前壁２３及び後壁２４に沿った方向に相当する）において屈曲線４５がヒンジ２７よりも高い位置に配置されるように、パッケージ１の内面に固定されている。したがって、平板バネ部材４は、パッケージ本体２のアウタボックス２１の上部から第１領域部４１の一部が突出した態様で設置される。
【００２７】
ここで、パッケージ１の各部寸法について説明する。平板バネ部材４の屈曲線４５と直交する方向を、平板バネ部材４の長さ方向として定義する。そして、平板バネ部材４のうち、第１領域部４１の本体側固着部４３が本体パッケージ２におけるアウタボックス２１の内面（本実施例では、後壁２４）に固定される部位を「第１固定部位Ｐ１」として定義し、第１固定部位Ｐ１と屈曲線４５とを結ぶ直線の寸法を“第１寸法Ｓ１”と定義する。なお、本実施例のように、本体側固着部４３がある程度の接着代を有する場合には、第１固定部位Ｐ１は、第１領域部４１における本体側固着部４３の内端位置を指す。
【００２８】
一方、平板バネ部材４において、第２領域部４２の蓋側固着部４４が蓋部材３の内面（本実施例では、天板３２）に固定される部位を「第２固定部位Ｐ２」と定義し、第２固定部位Ｐ２と屈曲線４５とを結ぶ直線の寸法（距離）を“第２寸法Ｓ２”と定義する。本実施例のように、蓋側固着部４４がある程度の接着代を有する場合には、第２固定部位Ｐ２は、第２領域部４２における蓋側固着部４４の内端位置を指す。第１固定部位Ｐ１、第２固定部位Ｐ２、第１距寸法Ｓ１、第２寸法Ｓ２は、図５Ｂに示す。
【００２９】
次に、図５Ａを参照して、第３寸法Ｓ３および第４寸法Ｓ４について説明する。ここで、第１固定部位Ｐ１とヒンジ２７とを結ぶ直線の寸法を“第３寸法Ｓ３”と定義する。一方、第２固定部位Ｐ２とヒンジ２７とを結ぶ直線の寸法を“第４寸法Ｓ４”と定義する。
【００３０】
ここで、第１寸法Ｓ１、第２寸法Ｓ２、第３寸法Ｓ３、第４寸法Ｓ４の各寸法は、いずれも対象となる２点間、ヒンジ２７および屈曲線４５に直交する方向の最短距離を指すものである。第１寸法Ｓ１は、平板バネ部材４の表面上で、屈曲線４５と直交する方向に、第１固定部位Ｐ１と屈曲線４５とが離間する距離に相当する。第２寸法Ｓ２は、平板バネ部材４の表面上で、屈曲線４５と直交する方向に、第２固定部位Ｐ２と屈曲線４５とが離間する距離に相当する。また、第３寸法Ｓ３は、パッケージ本体２（より詳しくは、アウタボックス２１）の後壁２４の表面上で、第１固定部位Ｐ１とヒンジ２７とがヒンジ２７と直交する方向（パッケージ本体２の高さ方向）に離間する距離に相当する。第４寸法Ｓ４は、第２固定部位Ｐ２とヒンジ２７とを直線的に結ぶ最短距離である。つまり、第４寸法Ｓ４は、蓋部材３の表面上に沿った距離ではない。
【００３１】
本実施例におけるパッケージ１では、第１寸法Ｓ１と第２寸法Ｓ２との合計が、第３寸法Ｓ３と第４寸法Ｓ４との合計よりも長くなるように、構成されている（Ｓ１＋Ｓ２＞Ｓ３＋Ｓ４）。
【００３２】
以上のように構成されるパッケージ１において、使用者による蓋部材３の開閉操作時における平板バネ部材４の動作について説明する。平板バネ部材４は、第１領域部４１側がパッケージ本体２の内面に固定され、第２領域部４２側が蓋部材３の内面に固定されることで、蓋部材３のパッケージ本体２に対する自由な回動を制限する。
【００３３】
図４Ａ、５Ａに示すように、蓋部材３が閉鎖位置にある状態では、平板バネ部材４は、第１領域部４１がパッケージ本体２の後壁２４に沿って配置され、この第１領域部４１に対して第２領域部４２がパッケージ１の前方に傾倒した第１傾倒状態に維持されている。
【００３４】
使用者は、例えばたばこ商品をパッケージ１から取り出す際には蓋部材３を閉鎖位置から図４Ｂ、５Ｂに示すような開放位置まで開放旋回させる。この蓋部材３の開放動作に伴い、蓋部材３はヒンジ２７を中心にパッケージ１の背面側に向かって旋回する。平板バネ部材４は、第１領域部４１がパッケージ本体２（アウタボックス２１）における後壁２４の内面に固定され、第２領域部４２が蓋部材３における３２の内面に固定されている。よって、平板バネ部材４は、蓋部材３の開放動作に付随して、屈曲線４５を中心に第１領域部４１と第２領域部４２が相対的に屈曲する。その結果、第１領域部４１に対する第２領域部４２の傾倒角度が徐々に緩やかになる（浅くなる）。
【００３５】
蓋部材３が閉鎖位置から開放位置へと回動する過程において、第１傾倒状態にある平板バネ部材４は、自身の曲げ剛性によって適度の撓り（しなり）を伴いながら屈曲線４５を中心に屈曲する。つまり、平板バネ部材４が板バネとして機能して、第１領域部４１および第２領域部４２を撓らせながら屈曲し、第１領域部４１に対する第２領域部４２の傾倒角度が徐々に緩やかになる方向に姿勢を変化させる。そして、蓋部材３の旋回角度が一定角度以上になると、平板バネ部材４が屈曲線４５を境に反転し、第１領域部４１に対して第２領域部４２がパッケージ１の後方側に傾倒した第２傾倒状態へとその姿勢を変化させる。
【００３６】
平板バネ部材４が屈曲線４５を境に反転すると、それまでは、平板バネ部材４を撓らせながら蓋部材３を旋回させることで使用者に伝達されていた抵抗が一瞬開放されるため、その反動が使用者の手に伝達される。これにより、使用者は、パッケージ１の開蓋操作を行う際に、蓋部材３が所定の開放位置まで開放したという感覚を得る事ができ、達成感を喚起することができる。また、平板バネ部材４は、屈曲線４５を境に反転するときに音が発生するため、その音を知覚することによっても、使用者は蓋部材３が開放したという感覚を得る事ができる。なお、上記の開放位置とは、図４Ａ、５Ｂに示すように、パッケージ１内のシガレットを円滑に取り出せる姿勢まで蓋部材３が開放された状態が例示できる。
【００３７】
図４Ｂ、５Ｂに示すように、蓋部材３が開放位置にある状態では、平板バネ部材４が第２傾倒状態に維持される。この状態では、平板バネ部材４の第２領域部４２によって蓋部材３における天板３２の内面が保持されることで、蓋部材３の自由な回動が制限される。これにより、蓋部材３が自重や紙の反発力などによってぐらつくことがなく、使用者は蓋部材３を把持しなくても、パッケージ１を図４Ｂ、５Ｂに示す開放状態に維持することができる。なお、ここでいう蓋部材３の回動の制限とは、開いた蓋部材３が自重によって勝手に閉じようとする回動動作を制限することを指し、使用者が板バネ部材４の付勢力に抗して意図的に蓋部材３を閉じる際には、蓋部材３の回動動作が許容されるのは言うまでもない。
【００３８】
ところで、パッケージ１にはシガレット等のたばこ商品が収容されるため、平板バネ部材４の第１領域部４１が、シガレットによってパッケージ本体の後壁２４側に押し付けられる。パッケージ本体２に収容するシガレットが第１領域部４１を後壁２４側に押し付ける押圧力は、第１領域部４１から第２領域部４２、蓋部材３へと伝達され、蓋部材３を開放状態に保持するために利用される。そのため、パッケージ１においては、使用者が蓋部材３を開放した場合に、蓋部材３がぐらつくことがなく、蓋部材３を安定して開放状態に保持する事ができる。
【００３９】
開放状態にある蓋部材３を閉じる場合には、使用者は、例えば蓋部材３を適度な力でパッケージ１の前方側に押すなどの操作を行う。その結果、第２傾倒状態に維持されている平板バネ部材４が蓋部材３の内面を付勢する付勢力に抗して、蓋部材３がヒンジ２７を中心に閉鎖方向に回動（旋回）する。
【００４０】
その際、平板バネ部材４の第１領域部４１がパッケージ本体２に収容されているシガレットと干渉し、シガレットに押圧されるため、第１領域部４１が後壁２４から自由に離間することが規制される。その結果、平板バネ部材４は、第１領域部および第２領域部４２を撓らせながら屈曲線４５を中心に屈曲する。このようにして、平板バネ部材４は、第１領域部に対して第２領域部４２が後側に傾倒する傾倒角度が徐々に緩やかとなり、最終的に、屈曲線４５を境に反転することで、第２傾倒状態から第１傾倒状態へとその姿勢を変化させる。
【００４１】
そして、蓋部材３の閉蓋操作の際に平板バネ部材４が屈曲線４５を境に反転すると、開放操作時と同様、平板バネ部材４が反転する際の反動や反転時に発生する音などが使用者に伝達されることで、使用者は、蓋部材３が確実に閉じられるという感覚を得る事ができる。
【００４２】
以上のように、パッケージ１では、平板バネ部材４を備えることによって、ヒンジ２７を中心とする蓋部材３の自由旋回を制限する。これにより、蓋部材３が閉鎖位置にある状態と、開放位置にある状態の双方において、その姿勢を安定して維持することができる。特に、使用者が蓋部材３を把持しなくても、蓋部材３が開放された状態に保持されるため、使用者は円滑に被収容物をパッケージ１から取り出すことができる。よって、非常に使い勝手の優れたパッケージ１を提供する事ができる。
【００４３】
そして、蓋部材３の開閉操作時においては、平板バネ部材４を、第１傾倒状態と第２傾倒状態との間で姿勢を反転させる構造を採用したので、蓋部材３が確実に開閉するという感覚を使用者に付与することができる。これにより、パッケージ１の操作感、使用感などを向上させることができ、パッケージ１の商品的価値を高める事ができる。
【００４４】
更に、本実施例のパッケージ１は、屈曲線４５がヒンジ２７よりも高くなるように平板バネ部材４を設置し、かつ、第１寸法Ｓ１と第２寸法Ｓ２との合計が第３寸法Ｓ３と第４寸法Ｓ４との合計よりも長くなるように平板バネ部材４を構成した。これによれば、蓋部材３を開放する際に、第１傾倒状態にある平板バネ部材４の屈曲線４５の近傍部位を、パッケージ１の後方側から前方側に向かって押し出しやすく、逆に蓋部材３を閉じる際には、第２傾倒状態にある平板バネ部材４の屈曲線４５の近傍部位をパッケージ１の前方側から後方側に向かって押し出しやすくなるという効果が得られる。これにより、蓋部材３の開閉時に、第１傾倒状態および第２傾倒状態との間で、平板バネ部材４をより確実に反転させることができる。
【００４５】
なお、図５Ａに示すように、蓋部材３を閉じた状態において、平板バネ部材４の屈曲線４５と、蓋部材３の天板３２との間には適度な隙間が形成されていると良い。蓋部材３を閉じた状態で、屈曲線４５と天板３２との間に形成される隙間は特定の寸法に限定されるものではないが、例えば３ｍｍ〜７ｍｍ程度とすると好適である。
【００４６】
また、本実施例におけるパッケージ１では、平板バネ部材４の第１領域部４１における本体側固着部４３を、アウタボックス２１の後壁２４内面に固定しているが、例えば、第１領域部４１における屈曲線４５と逆側に位置する端部の両側縁部にフラップ片を設け、このフラップ片を各側２５に接着しても良い。また、本実施例では、平板バネ部材４の蓋側固着部４４を蓋部材３の天板３２に接着したが、これに代えて前壁３３に接着しても良い。また、平板バネ部材４は、第１領域部４１がパッケージ本体２（アウタボックス２１）の内面と一体的に固定され、第２領域部４２が蓋部材３の内面と一体的に固定されていれば良く、その固定方法は本実施例で採用した接着、固着による方法には限定されない。したがって、例えば、平板バネ部材４を蓋部材３およびパッケージ本体２とは別部材とせずに、単一のブランク材を折り込むことにより、平板バネ部材４を備えたパッケージ１を製造しても良い。
【００４７】
＜実施例２＞
次に、図６および図７を参照して、実施例２に係るパッケージ１Ａについて説明する。図６は、実施例２に係るパッケージ１Ａを構成するブランク材１００の一部を示す図である。図７は、実施例２に係るパッケージ１Ａの断面図である。パッケージ１Ａにおいて、実施例１に係るパッケージ１と共通する部材は、共通の符号を付すことで詳しい説明を割愛する。図７は、パッケージ本体２における側壁２５に平行な面でパッケージ１Ａを切断した場合の切断面を示している。
【００４８】
実施例２におけるパッケージ１Ａでは、実施例１において説明した平板バネ部材４と同等の機能を有する平板バネ部材４Ａを、その内部に設けている。平板バネ部材４Ａは、蓋部材３およびパッケージ本体２と同一のブランク材１００から形成されており、これら蓋部材３およびパッケージ本体２との接続態様が実施例１と相違する。
【００４９】
図６に示すブランク材１００は、平板バネ部材４Ａおよび蓋部材３の一部に対応する部分を主に示している。ブランク材１００は、例えばカード紙やマニラボール紙などの紙材を用いて構成されている。ブランク材１００の一端側には、後述する位置決め部４６を形成する位置決めパネル１０１が形成されている。そして、位置決めパネル１０１には、第１領域パネル１０２、第２領域パネル１０３、前壁内側パネル１０４、前壁外側パネル１０５が、天板パネル１０６が、これらの並び順に連なっている。図中の破線は、ブランク材１００を織り込むときの折り込み線である。
【００５０】
位置決め部４６の詳細については後述する。第１領域パネル１０２および第２領域パネル１０３は、ブランク材１００がパッケージ１Ａとして組み上がった状態で、平板バネ部材４Ａの第１領域部４１および第２領域部４２を形成する。また、第１領域部４１と第２領域部４２との境界部分には、屈曲線４５が形成されている。ブランク材１００において、屈曲線４５に対応する部分には、上述した折り込み線に加えてスリットが形成されており、山折り方向と谷折り方向の何れの方向にも屈曲可能となっている。なお、第１領域部４１、第２領域部４２および屈曲線４５の技術的な特徴点については、実施例１において述べた通りである。また、前壁内側パネル１０４および前壁外側パネル１０５は互いに折り返されることで、蓋部材３の前壁３３を２重壁として構成する。天板パネル１０６は、蓋部材３の天板３２を形成するパネルである。
【００５１】
前壁３３のうち、前壁外側パネル１０５によって形成される部分を外璧部３３Ａと称し、前壁内側パネル１０４によって形成される部分を内壁部３３Ｂと称する。パッケージ１Ａにおいては、平板バネ部材４Ａにおける第２領域部４２と前壁３３の内壁部３３Ｂとの境界部が実施例１において述べた第２固定部位Ｐ２に対応し、蓋部材３の天板３２に接着される。更に、パッケージ１Ａにおいて、平板バネ部材４Ａにおける第１領域部４１と位置決め部４６とは、図示のように折り曲げられて配置される。また、パッケージ１Ａでは、平板バネ部材４Ａにおける第１領域部４１と位置決め部４６との境界部が第１固定部位Ｐ１に対応し、パッケージ本体２の後壁２４に接着される。
【００５２】
図６に示すように、ブランク材１００における位置決めパネル１０１の長さ寸法（図中、符号Ｘ）は、第１領域パネル１０２の長さ寸法（図中、符号Ｙ）よりも大きい。上記の“長さ寸法”とは、例えば、ブランク材１００において、第１領域パネル１０２および第２領域パネル１０３の境に形成される屈曲線４５と直交する方向の寸法を指す。
【００５３】
ここで、位置決め部４６は、パッケージ１Ａの製造時に、平板バネ部材４Ａの第１領域部４１を後壁２４に接着する位置が所望の位置からずれないようにするための部材である。すなわち、パッケージ１Ａの製造時において、第１領域部４１に対して折り返された位置決め部４６は、その先端側が蓋部材３の天板３２の内面に突き当てられる。このようにして、位置決め部４６の先端側が天板３２内面に突き当てられた状態で、第１領域部４１と位置決め部４６との境界部（第１固定部位Ｐ１）がパッケージ本体２の後壁２４に接着される。このようにすれば、平板バネ部材４Ａの第１領域部４１がパッケージ本体２に固定される第１固定部位Ｐ１を、予め定められた適正位置へと容易に接着することができる。つまり、パッケージ１Ａに位置決め部４６を備えることで、平板バネ部材４Ａの第１領域部４１をパッケージ本体２に接着する際に、その接着箇所である第１固定部位Ｐ１の位置ずれを起こり難くすることができる。
【００５４】
更に、平板バネ部材４Ａは、蓋部材３を閉じた状態において、屈曲線４５の上部には隙間空間が形成されるところ、天板３２内面と屈曲線４５との間に形成される隙間の寸法は、位置決めパネル１０１（位置決め部４６）の長さ寸法Ｘと第１領域パネル１０２（第１領域部４１）の長さ寸法Ｙとの差分に概ね等しくなる。したがって、本実施例に係るパッケージ１Ａによれば、長さ寸法Ｙと寸法Ｘの差分を調節しておくことにより、屈曲線４５の高さが所望の高さとなるように、平板バネ部材４Ａを容易に配置することができる。
【００５５】
＜実施例３＞
次に、図８および図９を参照して、実施例３に係るパッケージ１Ｂについて説明する。本実施例に係るパッケージ１Ｂは、インナフレーム２２Ａが実施例１に係るインナフレーム２２と相違する。ここでは、実施例１のパッケージ１との相違点を中心に説明し、パッケージ１と共通する部材については、共通の符号を付すことでその詳しい説明を割愛する。
【００５６】
図８および図９は、実施例３に係るパッケージ１Ｂの斜視図である。パッケージ１Ｂは、アウタボックス２１およびインナフレーム２２Ａを含んで構成されている。アウタボックス２１は、実施例１と共通である。また、インナフレーム２２Ａは、略Ｕ字形状をなした前面フレーム２８、前面フレーム２８の両側縁に連結された側面フレーム２９、各側面フレーム２９の先端側に連結された背面フレーム２９Ａを有する。すなわち、本実施例におけるパッケージ１Ｂは、インナフレーム２２Ａにおいて背面フレーム２９Ａを備えている点を特徴とする。
【００５７】
インナフレーム２２Ａの前面フレーム２８はアウタボックス２１の前壁２３の内法寸法と等しく、一対の側面フレーム２９は、アウタボックス２１の側壁２５の内法寸法と等しい。また、背面フレーム２９Ａは、各側面フレーム２９が前面フレーム２８と連結されていない方の端部に連結している。また、背面フレーム２９Ａは、側面フレーム２９と直交する方向かつ収容空間内側に折り込まれ、背面フレーム２９Ａの背面が平板バネ部材４の第１領域部４１の表面に沿って対向するように配置されている。
【００５８】
このように構成されたインナフレーム２２Ａは、実施例１において説明したように、アウタボックス２１の開口端を補強し、蓋部材３の開閉を案内するガイドとして機能する他、開放状態の蓋部材３を閉じる際に、第２傾倒状態の平板バネ部材４が第１傾倒状態へと反転するときの動作を補助する部材として機能する。
【００５９】
上記のように、パッケージ１Ｂに収容された被収容物は、蓋部材３の閉蓋操作時に、平板バネ部材４の第１領域部４１と干渉することで、第２傾倒状態から第１傾倒状態への平板バネ部材４の反転が促される。しかし、例えばパッケージ本体２に収容されるシガレットの本数が少ない場合には、蓋部材３の閉蓋操作時に、平板バネ部材４の第１領域部４１の動きをシガレットによって規制し難くなり易い。
【００６０】
これに対して、本実施例に係るパッケージ１Ｂでは、背面フレーム２９Ａを備えたインナフレーム２２Ａがパッケージ本体２に設置されている。そして、背面フレーム２９Ａは、蓋部材３が開放位置から閉鎖位置へと回動する際に平板バネ部材４の第１領域部４１と当接し、この第１領域部４１がパッケージ本体２の後壁２４側から前壁２３側に向かって移動することを規制することができる。本実施例においては、背面フレーム２９Ａが規制手段に対応する。
【００６１】
以上の様に、本実施例のパッケージ１Ｂによれば、蓋部材３の閉蓋操作時に、平板バネ部材４の第１領域部４１が前方に移動することを背面フレーム２９Ａが規制するため、第１領域部４１に対して第２領域部４２を相対的に屈曲させ易くなる。その結果、平板バネ部材４の反転を促すことができ、第２傾倒状態から第１傾倒状態に移行しやすくなる。つまり、パッケージ１Ｂによれば、被収容物の種類、収容量などに左右されず、蓋部材３の閉蓋操作時に平板バネ部材４をより一層確実に反転させる事ができる。よって、使用者にとって、蓋部材３を開閉する際の感覚を良好に得ることのできるボックス型パッケージを提供することが出来る。
【００６２】
以上、本発明の好適な実施形態を説明したが、本発明に係るボックス型パッケージは、可能な限り各実施例を組み合わせて実施することができる。また、本実施形態では、ボックス型パッケージに収容する被収容物の好適な適用例として、フィルタシガレットや両切シガレット等のたばこ商品をパッケージに収容する場合を説明したが、これには限定されず、たばこ商品以外の物品を収容しても良い。
【符号の説明】
【００６３】
１，１Ａ，１Ｂ・・・ボックス型パッケージ
２・・・パッケージ本体
３・・・蓋部材
４、４Ａ・・・平板バネ部材
２１・・・アウタボックス
２２，２２Ａ・・・インナフレーム
２３・・・前壁
２４・・・後壁
２５・・・側壁
２３・・・底壁
２７・・・ヒンジ
４１・・・第１領域部
４２・・・第２領域部
４３・・・本体側固着部
４４・・・蓋側固着部
４５・・・屈曲線
【図１】
0005960723.tif 000002
【図２】
0005960723.tif 000003
【図３】
0005960723.tif 000004
【図４Ａ】
0005960723.tif 000005
【図４Ｂ】
0005960723.tif 000006
【図５Ａ】
0005960723.tif 000007
【図５Ｂ】
0005960723.tif 000008
【図６】
0005960723.tif 000009
【図７】
0005960723.tif 000010
【図８】
0005960723.tif 000011
【図９】
0005960723.tif 000012